(57)【要約】【課題】多種多様なコンテンツからキーコンテンツに関連性のあるコンテンツを容易に検索することが可能な表示処理装置、表示処理方法及びプログラムを提供する。【解決手段】第１のコンテンツと関連する第２のコンテンツ各々について、前記第１のコンテンツに関する各項目の中から前記第２のコンテンツに関連する項目を共通キーワードとして抽出し、類似関係にあると判定した前記第２のコンテンツのうち、前記共通キーワードが同一のものをグループ化し、前記第１のコンテンツ及び前記第２のコンテンツの内容を表す表示情報を夫々生成するとともに、グループ化された第２のコンテンツ群毎にその内容を表す一の表示情報を生成し、前記第１のコンテンツの表示情報を所定の位置に表示するとともに、前記第２のコンテンツの表示情報及びグループ化された前記第２のコンテンツ群の表示情報を、前記第１のコンテンツの表示情報の位置周辺に表示する。【選択図】図１
2011141899.tif 000002
【特許請求の範囲】
【請求項１】
第１のコンテンツを選択する選択手段と、
前記第１のコンテンツと関連する第２のコンテンツ各々について、前記第１のコンテンツに関する各項目の中から前記第２のコンテンツに関連する項目を共通キーワードとして抽出するキーワード抽出手段と、
前記第２のコンテンツ各々の類似関係を判定し、類似関係にあると判定した前記第２のコンテンツのうち、前記共通キーワードが同一のものを、同一のグループにグループ化するグループ化手段と、
前記第１のコンテンツ及び前記第２のコンテンツの内容を表す表示情報を夫々生成するとともに、前記グループ化手段でグループ化された第２のコンテンツ群毎に当該第２のコンテンツ群の内容を表す一の表示情報を生成する表示情報生成手段と、
前記第１のコンテンツの表示情報を所定の位置に表示するとともに、前記第２のコンテンツの表示情報及びグループ化された前記第２のコンテンツ群の表示情報を、前記第１のコンテンツの表示情報の位置周辺に表示する表示手段と、
を備えた表示処理装置。
【請求項２】
前記表示手段は、前記第１のコンテンツの表示情報の位置周辺を当該第１のコンテンツに関する項目毎に区分し、当該項目に関連する前記第２のコンテンツの表示情報及び前記グループ化された第２のコンテンツ群の表示情報を、区分けした対応する領域に夫々表示する請求項１に記載の表示処理装置。
【請求項３】
前記表示手段は、前記第２のコンテンツ各々について、前記第１のコンテンツに関する各項目との関連度が最大となる項目に対応する領域を表示情報の表示先とするとともに、前記各項目に対する関連度の総和から前記領域内での表示位置を決定する請求項２に記載の表示処理装置。
【請求項４】
前記グループ化手段は、類似関係にあると判定した前記第２のコンテンツのうち、前記表示情報が表示される領域が同一のものを、同一のグループにグループ化する請求項２又は３に記載の表示処理装置。
【請求項５】
前記グループ化手段は、類似関係にあると判定した前記第２のコンテンツのうち、関連度が最大となる項目が同一のものを、同一のグループにグループ化する請求項１に記載の表示処理装置。
【請求項６】
前記グループ化手段は、類似関係にあると判定した前記第２のコンテンツのうち、当該第２のコンテンツの表示情報が表示される位置が略同等となるものを、同一グループにグループ化する請求項２又は３に記載の表示処理装置。
【請求項７】
前記グループ化手段は、類似関係にあると判定した前記第２のコンテンツのうち、前記第１のコンテンツに関する各項目との関連度の総和が同一となるものを、同一のグループにグループ化する請求項１に記載の表示処理装置。
【請求項８】
前記グループ化手段は、類似関係にあると判定した前記第２のコンテンツのうち、当該第２のコンテンツの表示情報の表示先が所定の項目について区分けされた領域となるものを、グループ化の対象から除外する請求項２又は３に記載の表示処理装置。
【請求項９】
前記グループ化手段は、類似関係にあると判定した前記第２のコンテンツのうち、関連度が最大となる項目が所定の項目となる第２のコンテンツを、前記グループ化の対象から除外する請求項１に記載の表示処理装置。
【請求項１０】
前記グループ化手段は、類似関係にあると判定した前記第２のコンテンツのうち、当該第２のコンテンツの表示情報の表示先となる領域内での当該表示情報の総表示数が所定値を下回るものを、前記グループ化の対象から除外する請求項２又は３に記載の表示処理装置。
【請求項１１】
前記グループ化手段は、前記第２のコンテンツ各々について、関連度が最大となった項目の個数を項目毎に集計し、この集計の結果が所定値を下回った項目との関連度を最大とする第２のコンテンツを、前記グループ化の対象から除外する請求項１に記載の表示処理装置。
【請求項１２】
前記グループ化手段は、類似関係にあると判定した前記第２のコンテンツのうち、前記第１のコンテンツに関する各項目との関連度の総和が所定値を下回るものを、同一グループにグループ化する請求項１に記載の表示処理装置。
【請求項１３】
前記グループ化手段によるグループ化の有効／無効を選択的に指示する情報を受け付ける受付手段を更に備え、
前記グループ化手段は、前記第１受付手段がグループ化の有効を指示する情報を受け付けた場合に、前記第２のコンテンツのグループ化を行う請求項１〜１２の何れか一項に記載の表示処理装置。
【請求項１４】
前記第１のコンテンツに関する項目と、当該第１のコンテンツ以外の前記第２のコンテンツに関する項目とに基づいて、前記第１のコンテンツに対する前記第２のコンテンツの関連度を複数の項目毎に算出する関連度算出手段を更に備え、
前記グループ化手段は、前記関連度算出手段で算出された関連度が所定値以上となった第２のコンテンツ各々について、類似関係を判定する請求項１に記載の表示処理装置。
【請求項１５】
選択手段が、第１のコンテンツを選択する選択工程と、
キーワード抽出手段が、前記第１のコンテンツと関連する第２のコンテンツ各々について、前記第１のコンテンツに関する各項目の中から前記第２のコンテンツに関連する項目を共通キーワードとして抽出するキーワード抽出工程と、
グループ化手段が、前記第２のコンテンツ各々の類似関係を判定し、類似関係にあると判定した前記第２のコンテンツのうち、前記共通キーワードが同一のものを、同一のグループにグループ化するグループ化工程と、
表示情報生成手段が、前記第１のコンテンツ及び前記第２のコンテンツの内容を表す表示情報を夫々生成するとともに、前記グループ化工程でグループ化された第２のコンテンツ群毎に当該第２のコンテンツ群の内容を表す一の表示情報を生成する表示情報生成工程と、
表示手段が、前記第１のコンテンツの表示情報を所定の位置に表示するとともに、前記第２のコンテンツの表示情報及びグループ化された前記第２のコンテンツ群の表示情報を、前記第１のコンテンツの表示情報の位置周辺に表示する表示工程と、
を含む表示処理方法。
【請求項１６】
コンピュータを、
第１のコンテンツを選択する選択手段と、
前記第１のコンテンツと関連する第２のコンテンツ各々について、前記第１のコンテンツに関する各項目の中から前記第２のコンテンツに関連する項目を共通キーワードとして抽出するキーワード抽出手段と、
前記第２のコンテンツ各々の類似関係を判定し、類似関係にあると判定した前記第２のコンテンツのうち、前記共通キーワードが同一のものを、同一のグループにグループ化するグループ化手段と、
前記第１のコンテンツ及び前記第２のコンテンツの内容を表す表示情報を夫々生成するとともに、前記グループ化手段でグループ化された第２のコンテンツ群毎に当該第２のコンテンツ群の内容を表す一の表示情報を生成する表示情報生成手段と、
前記第１のコンテンツの表示情報を所定の位置に表示するとともに、前記第２のコンテンツの表示情報及びグループ化された前記第２のコンテンツ群の表示情報を、前記第１のコンテンツの表示情報の位置周辺に表示する表示手段と、
して機能させるためのプログラム。
【発明の詳細な説明】
【技術分野】
【０００１】
本発明は、コンテンツの検索に用いる複数のコンテンツ表示情報を表示する表示処理装置、表示処理方法及びプログラムに関する。
【背景技術】
【０００２】
近年、ＡＶ機器のコンテンツ保存能力の拡大や機器内に留まらない機器間又はネットワーク上に存在するコンテンツとのシームレス性の拡大等により、ユーザがアクセス可能なコンテンツ数は急速に増加してきている。また、アクセス可能なコンテンツ数の増加に伴い、多種多様なコンテンツから所望のコンテンツを検索するための技術が提案されている。例えば、特許文献１には、検索のキーとなるコンテンツ（キーコンテンツ）を中心とし、当該キーコンテンツに係る所定の項目に関連する複数のコンテンツを、その関連度に応じて離間させて配置することで、キーコンテンツと当該キーコンテンツに関連する複数のコンテンツとを一覧表示する技術が開示されている。
【先行技術文献】
【特許文献】
【０００３】
【特許文献１】特開２００９−８０５８０号公報
【発明の概要】
【発明が解決しようとする課題】
【０００４】
しかしながら、特許文献１に開示の技術のようにキーコンテンツに関連する他のコンテンツを一覧表示する場合、例えば、放送日時や提供サービスが異なるだけで内容や番組名（タイトル）が同一のコンテンツ等の、同系列のコンテンツが個別に表示されることになる。そのため、一度に表示することが可能なコンテンツの実質的な種類が減少し、表示されるコンテンツの多様性が阻害されるという問題がある。
【０００５】
本発明は、上記に鑑みてなされたものであって、多種多様なコンテンツからキーコンテンツに関連性のあるコンテンツを容易に検索することが可能な表示処理装置、表示処理方法及びプログラムを提供することを目的とする。
【課題を解決するための手段】
【０００６】
上述した課題を解決し、目的を達成するために、本発明は、第１のコンテンツを選択する選択手段と、前記第１のコンテンツと関連する第２のコンテンツ各々について、前記第１のコンテンツに関する各項目の中から前記第２のコンテンツに関連する項目を共通キーワードとして抽出するキーワード抽出手段と、前記第２のコンテンツ各々の類似関係を判定し、類似関係にあると判定した前記第２のコンテンツのうち、前記共通キーワードが同一のものを、同一のグループにグループ化するグループ化手段と、前記第１のコンテンツ及び前記第２のコンテンツの内容を表す表示情報を夫々生成するとともに、前記グループ化手段でグループ化された第２のコンテンツ群毎に当該第２のコンテンツ群の内容を表す一の表示情報を生成する表示情報生成手段と、前記第１のコンテンツの表示情報を所定の位置に表示するとともに、前記第２のコンテンツの表示情報及びグループ化された前記第２のコンテンツ群の表示情報を、前記第１のコンテンツの表示情報の位置周辺に表示する表示手段と、を備える。
【０００７】
また、本発明は、選択手段が、第１のコンテンツを選択する選択工程と、キーワード抽出手段が、前記第１のコンテンツと関連する第２のコンテンツ各々について、前記第１のコンテンツに関する各項目の中から前記第２のコンテンツに関連する項目を共通キーワードとして抽出するキーワード抽出工程と、グループ化手段が、前記第２のコンテンツ各々の類似関係を判定し、類似関係にあると判定した前記第２のコンテンツのうち、前記共通キーワードが同一のものを、同一のグループにグループ化するグループ化工程と、表示情報生成手段が、前記第１のコンテンツ及び前記第２のコンテンツの内容を表す表示情報を夫々生成するとともに、前記グループ化工程でグループ化された第２のコンテンツ群毎に当該第２のコンテンツ群の内容を表す一の表示情報を生成する表示情報生成工程と、表示手段が、前記第１のコンテンツの表示情報を所定の位置に表示するとともに、前記第２のコンテンツの表示情報及びグループ化された前記第２のコンテンツ群の表示情報を、前記第１のコンテンツの表示情報の位置周辺に表示する表示工程と、を含む。
【０００８】
また、本発明は、コンピュータを、第１のコンテンツを選択する選択手段と、前記第１のコンテンツと関連する第２のコンテンツ各々について、前記第１のコンテンツに関する各項目の中から前記第２のコンテンツに関連する項目を共通キーワードとして抽出するキーワード抽出手段と、前記第２のコンテンツ各々の類似関係を判定し、類似関係にあると判定した前記第２のコンテンツのうち、前記共通キーワードが同一のものを、同一のグループにグループ化するグループ化手段と、前記第１のコンテンツ及び前記第２のコンテンツの内容を表す表示情報を夫々生成するとともに、前記グループ化手段でグループ化された第２のコンテンツ群毎に当該第２のコンテンツ群の内容を表す一の表示情報を生成する表示情報生成手段と、前記第１のコンテンツの表示情報を所定の位置に表示するとともに、前記第２のコンテンツの表示情報及びグループ化された前記第２のコンテンツ群の表示情報を、前記第１のコンテンツの表示情報の位置周辺に表示する表示手段と、して機能させる。
【発明の効果】
【０００９】
本発明によれば、多種多様なコンテンツからキーコンテンツに関連性のあるコンテンツを容易に検索することが可能な表示処理装置、表示処理方法及びプログラムを提供することができる。
【図面の簡単な説明】
【００１０】
【図１】図１は、第１の実施形態に係る表示処理装置の構成を示す図である。
【図２】図２は、ＴＶ番組をコンテンツとした場合でのメタデータの一例を示す図である。
【図３】図３は、つながりキーワードについて説明するための説明図である。
【図４−１】図４−１は、表示情報の表示動作の詳細に関する説明図である。
【図４−２】図４−２は、表示情報の表示動作の詳細に関する説明図である。
【図５】図５は、表示情報の表示動作の詳細に関する説明図である。
【図６】図６は、表示情報の表示動作の詳細に関する説明図である。
【図７】図７は、表示情報の表示動作の詳細に関する説明図である。
【図８】図８は、表示情報の表示動作の詳細に関する説明図である。
【図９】図９は、図１の表示処理装置による一覧表示画面の表示処理の流れを示すフローチャートである。
【図１０】図１０は、第２の実施形態に係る表示処理装置の構成を示す図である。
【図１１】図１１は、図１０の表示処理装置により生成された一覧情報画面の一例を示す図である。
【図１２】図１２は、図１０の表示処理装置により生成された一覧情報画面の一例を示す図である。
【図１３】図１３は、第３の実施形態に係る表示処理装置の構成を示す図である。
【図１４】図１４は、図１３の表示処理装置により生成された一覧情報画面の一例を示す図である。
【図１５】図１５は、図１３の表示処理装置により生成された一覧情報画面の一例を示す図である。
【図１６】図１６は、第４の実施形態に係る表示処理装置の構成を示す図である。
【図１７】図１７は、図１６の表示処理装置により生成された一覧情報画面の一例を示す図である。
【図１８】図１８は、第５の実施形態に係る表示処理装置の構成を示す図である。
【図１９】図１９は、図１８の表示処理装置による一覧表示画面の表示処理の流れを示すフローチャートである。
【発明を実施するための形態】
【００１１】
以下、添付図面を参照して、本発明に係る表示処理装置及び表示処理方法の実施の形態を詳細に説明する。なお、以下の実施の形態においては、本発明に係る表示処理装置をテレビジョン（Television：ＴＶ）に適用した例を示すが、これに限定されることなく、表示装置等において映像等を表示できるものであれば、本発明を適用することができる。本実施の形態の表示処理装置は、ユーザが複数のコンテンツから検索のキーとなるキーコンテンツ及びそのキーコンテンツに関連する当該キーコンテンツ以外の他のコンテンツ（以下、単に“他のコンテンツ”という）の検索を行う場合、ユーザによりキーコンテンツが選択されると、そのキーコンテンツとともに当該キーコンテンツに関連する複数の他のコンテンツを表示するものである。
【００１２】
［第１の実施形態］
まず、第１の実施形態に係る表示処理装置１００の構成について説明する。図１は、表示処理装置１００の構成を示すブロック図である。同図に示すように、表示処理装置１００は、ＩＰＴＶ（Internet  Protocol  TeleVision）接続部１０１と、放送受信部１０２と、映像再生部１０３と、電子番組表記憶部１０４と、録画番組記憶部１０５と、メタデータ取得部１０６と、メタデータ検索部１０７と、関連度算出部１０８と、グループ化情報生成部１０９と、キーワード抽出部１１０と、操作受付部１１１と、表示モード設定部１１２と、表示情報生成部１１３と、表示制御部１１４と、表示部１１５とを備えている。
【００１３】
ＩＰＴＶ接続部１０１は、表示処理装置１００とＩＰＴＶサーバ１３０とを接続するインターフェースである。ここで、ＩＰＴＶサーバ１３０は、ＩＰを利用してテレビ番組や映画等の映像配信サービスを提供するサーバ装置である。ＩＰＴＶサーバ１３０は、表示処理装置１００からの要求により、映像等のコンテンツ及び当該コンテンツの後述するメタデータを配信する。
【００１４】
放送受信部１０２は、ＴＶ放送により放送された映像のコンテンツ（ＴＶ番組）を、アンテナやケーブル、チューナ装置（何れも図示せず）を介して受信するものである。
【００１５】
映像再生部１０３は、ユーザが再生を所望する映像のコンテンツ、すなわち放送受信部１０２により受信されたＴＶ番組等のコンテンツ、ＩＰＴＶ接続部１０１によりＩＰＴＶサーバ１３０から取得された映像のコンテンツ又は録画番組記憶部１０５に記憶された映像のコンテンツを取得し、デコード（再生）して表示制御部１１４に送出する。
【００１６】
電子番組表記憶部１０４は、電子番組表（ＥＰＧ：Electronic  Program  Guide）を管理・配信している外部サーバから取得した電子番組表を記憶するＨＤＤやメモリ等の記憶媒体である。具体的には、インターネット等のネットワーク網に接続されたサービス提供者のサーバ装置から、通信部（図示せず）を介してＴＶ、ＣＡＴＶ、ＣＳ放送、ＢＳ放送等の電子番組表を取得し、取得した電子番組表を記憶している。ここで、電子番組表には、現在から未来のある時点（例えば、１週間後）までに放送される番組に関する情報が含まれているものとする。
【００１７】
録画番組記憶部１０５は、映像等のコンテンツを記憶するＨＤＤやメモリ等の記憶媒体である。例えば、表示処理装置１００がＨＤＤを備えたＴＶである場合は、録画番組記憶部１０５は、ＴＶ番組等を録画した映像のコンテンツを記憶する。また、ＤＶＤ（Digital  Versatile  Disk）の映像や、ビデオカメラで撮像した映像等をコンテンツとしてもよい。
【００１８】
また、録画番組記憶部１０５は、コンテンツ毎に当該コンテンツに関するメタデータを関連付けて記憶している。ここで「メタデータ」とは、各コンテンツに固有の特性を示した情報群であって、各コンテンツのタイトルや放送日時等の項目が含まれる。例えば、コンテンツがＴＶ番組の場合には、ＴＶ番組のタイトルやチャンネル、放送日時、出演者、番組内容、ジャンル等の情報（番組情報）がメタデータとなり、コンテンツとともこのメタデータが提供され、録画番組記憶部１０５に記憶される。
【００１９】
図２は、ＴＶ番組をコンテンツとした場合でのメタデータの一例を示す図である。同図に示すメタデータは、ＴＶ番組を録画したコンテンツに関する情報であり、ＴＶ番組のタイトル「お昼のコメディーショー」、チャンネル「○×放送」、放送日時「２００８年８月１日  １２：００〜１２：４０」、出演者「○○△、□□××」、番組内容「今旬の〜世界にいざなう」、ジャンル「お笑い」等の情報が記憶されている。
【００２０】
なお、上記ではメタデータが予め設定された状態で提供される態様を説明したが、これに限定されることなく、リモートコントローラ（以下、リモコンという）１２０等を介してユーザから入力された情報をメタデータとして対応するコンテンツと関連付け、録画番組記憶部１０５に記憶する形態としてもよい。
【００２１】
メタデータ取得部１０６は、メタデータ検索部１０７からの要求に応じて、全てのコンテンツ（キーコンテンツ及び他のコンテンツ）のメタデータを取得するものである。具体的に、メタデータ取得部１０６は、コンテンツのメタデータを録画番組記憶部１０５から取得する。また、メタデータ取得部１０６は、ＩＰＴＶ接続部１０１を介してＩＰＴＶサーバ１３０にメタデータを要求することで、ＩＰＴＶサーバ１３０から配信されるコンテンツのメタデータを取得する。さらに、メタデータ取得部１０６は、電子番組表記憶部１０４に記憶されている電子番組表からコンテンツのメタデータを取得する。
【００２２】
メタデータ検索部１０７は、操作受付部１１１によるキーコンテンツの選択操作を表示制御部１１４を介して受け付けると、メタデータ取得部１０６で取得された全てのコンテンツ（キーコンテンツ及び他のコンテンツ）のメタデータを関連度算出部１０８及び表示情報生成部１１３に送出する。
【００２３】
関連度算出部１０８は、メタデータ検索部１０７から送出されたキーコンテンツのメタデータと他のコンテンツのメタデータとに基づいて、キーコンテンツに対する他のコンテンツ各々の関連度を、メタデータに含まれる項目（例えば、タイトルやチャンネル）毎に算出するものである。以下、関連度の算出方法について説明する。
【００２４】
関連度算出部１０８は、キーコンテンツのメタデータに含まれた各項目について、当該キーコンテンツに対する他のコンテンツ各々の関連度ＲＭを、下記式（１）を用いて算出する。
【００２５】
【数１】
2011141899.tif 000003
【００２６】
上記式（１）において、Ｎはメタデータ取得部１０６で取得可能なメタデータの総数を意味している。また、キーコンテンツに対応するメタデータＭ１１（ｎ）、いずれかの他のコンテンツに対応するメタデータＭ２１（ｎ）は、メタデータ取得部１０６で取得されるｎ番目のメタデータ（項目）を意味している。また、ｆａn（Ｍ１１（ｎ）、Ｍ２１（ｎ））は、メタデータＭ１１（ｎ）とＭ２１（ｎ）との関連度をＲＭnとして返す関数であり、ｗａnは重みを示す値（ｎ＝１、・・・、Ｎ）である。以下、ＲＭn×ｗａnを“項目別関連度”と表記する。
【００２７】
メタデータとして取得される情報は上述の通り多岐に渡るが、以下、説明を簡略化するため、メタデータは｛録画日時、コンテンツのタイトル、チャンネル、ジャンル、出演者リスト｝の５つの項目の集合である（Ｎ＝５）とし、これら５つのメタデータを先頭からｎ＝１、２、・・・、５であるとして説明を進める。
【００２８】
上記５つの項目を対象とする場合、キーコンテンツに対する他のコンテンツの関連度ＲＭは、下記式（２）に示すように、以下の５つの項目別関連度ＲＭn×ｗａn（但しｎ＝１〜５）の線形和で表すことができる。
【００２９】
【数２】
2011141899.tif 000004
【００３０】
ＲＭ1＝ｆａ1（メタデータＭ１１の録画日時、メタデータＭ２１の録画日時）
ＲＭ2＝ｆａ2（メタデータＭ１１のタイトル、メタデータＭ２１のタイトル）
ＲＭ3＝ｆａ3（メタデータＭ１１のチャンネル、メタデータＭ２１のチャンネル）
ＲＭ4＝ｆａ4（メタデータＭ１１のジャンル、メタデータＭ２１のジャンル）
ＲＭ5＝ｆａ5（メタデータＭ１１の出演者リスト、メタデータＭ２１の出演者リスト）
【００３１】
ここで、ｆａ1は例えば、録画日時が近い程大きな値を取り、遠くなる程小さな値を取る関数である。具体的には、例えば、ＭＯ１／｜ｒｅｃ＿ｄａｔａ（Ｍ１１）−ｒｅｃ＿ｄａｔａ（Ｍ２１）｜等の関係式を用いることができる。ここで、ｒｅｃ＿ｄａｔａ（ｘ）は、ｘの録画日時を一意の整数化する関数であり、ある基準日時を０として、そこからの経過秒数等に整数化する関数である。またＭＯ１は任意の定数であり、｜Ｘ｜はＸの大きさを示す関数であり、典型的には絶対値である。
【００３２】
なお、ｆａ1（Ｍ１１、Ｍ２１）＝ｇ（ｒｅｃ＿ｄａｔａ（Ｍ１１）−ｒｅｃ＿ｄａｔａ（Ｍ２１））とした場合、ｇ（ｘ）＝ＭＯ１／｜Ｘ｜という関数であるｇを用いた例を示したが、これに限定されるものではない。Ｌ２ノルム等を使用するようなｇ、例えば、ｇ（ｘ）＝ＭＯ１／｜｜ｘ｜｜のようなものであってもよい。この場合、｜｜ｘ｜｜は、ｘを構成するそれぞれの要素の差の自乗合計の平方根をとったものとなる。
【００３３】
また、ｇ（ｘ）は、シグモイド関数等を用いてもよいし、ガンマ関数等を用いてもよい。なお、上記ではメタデータＭ１１とＭ２１が近い時に大きな値をとるような例を示したが、これに限定されるものではない。逆に小さな値をとるように構成することとしてもよい。また、特定の条件の時に大きな値をとるような関数ｇを用いることもできる。
【００３４】
ｆａ2は例えば、メタデータＭ１１とＭ２１とのタイトル文字列に同様の文字列が多く含まれている程大きな値をとるような関数で実現される。例えば、Ｍ１１のタイトルが“あいうえお”、Ｍ２１のタイトルが“かきうえこ”ならば、間の“うえ”の２文字が両者に含まれている。一方、“あいうえお”と“かきくけお”の場合は、１文字が両者に含まれているため、前者の方がｆａ2の値が大きくなる。なお、番組内容に含まれるキーワードにより関連度を判断する場合も、タイトルと同様に算出することが可能である。
【００３５】
以上では単純に両者に含まれている文字数の比較による例を示したが、これに限定されるものではない。例えば、先頭からの共通の文字数が多い方をより大きな値をとるようにする、であるとか、共通の文字が無くても、同様の概念を含むものならば共通と見なすとかといったような条件をさらに加えることとしてもよい。後者の例としては、例えば、“野球”と“ベースボール”を同様とみなし、これらがそれぞれに含まれている場合は、共通文字列が含まれていると見なす等といったようなものである。
【００３６】
また、メインの文字列が同じで、サブの文字列が異なる場合には、これらは共通のシリーズのコンテンツであることが多いため、このような場合には、よりｆａ2の値を大きくする等といったこともあり得る。例えば、“あいうえお＃２”と、“あいうえお＃３”は、同じドラマコンテンツの異なる回であるとみなせるため、このような場合には、ｆａ2の値を２倍する等といったようなものである。なお、以上での説明はあくまでも一例であり、曖昧検索等の公知の技術を用いたり、正規表現による検索等の公知の技術を用いたりすることで、以上で説明したよりも高度な比較を行うことが可能となる。
【００３７】
ｆａ3は例えば、メタデータＭ１１とＭ２１とのチャンネルが同じ場合は大きな値をとるような関数である。単純には、チャンネルが同じ場合は、値ＭＯ２を、そうでない場合には値０をとる関数として実現できる。ここで、ＭＯ２は任意の定数である。さらに拡張して、同系列のチャンネルの場合には、別の値をとるようにしてもよい。例えば、同じ系列局の場合には、値ＭＯ２／２を返す関数とすることとしてもよい。また、同系列だが放送メディアが異なるような場合には、ＭＯ２／４を返す関数とすることとしてもよい。なお、以上で説明した態様はあくまでも一例であり、任意の関数を用いることが可能である。
【００３８】
ｆａ4は例えば、メタデータＭ１１とＭ２１とのジャンルが同じ場合は大きな値をとるような関数である。例えば、Ｍ１１とＭ２１とが双方とも「スポーツ」というジャンルの場合、値ＭＯ３を、そうでない場合には値０を取り、さらに、Ｍ２１がＭ１１のサブジャンルである場合、例えば、Ｍ１１のジャンルが「スポーツ」、Ｍ２１のジャンルが「野球」である場合には、ＭＯ３／２を取るような関数とすることとしてもよい。また、Ｍ１１のジャンルとＭ２１のジャンルが直接同じでなくとも双方の親となるジャンルが同じとなる場合、例えば、Ｍ１１のジャンルが「野球」、Ｍ２１のジャンルが「サッカー」の場合には、双方の親ジャンルは「スポーツ」で同じであるため、ＭＯ３／４を取るといった関数とすることとしてもよい。なお、以上で説明した態様はあくまでも一例であり、任意の関数を用いることが可能である。
【００３９】
ｆａ5はｆａ4と同様である。例えば、メタデータＭ１１とＭ２１との出演者リストが夫々「ＷＷ、ＸＸ、ＹＹ」、「ＸＸ、ＹＹ、ＺＺ」の場合には、共通の登場人物は２人となるため、２×ＭＯ４を取り（ここでＭＯ４は任意の定数値）、共通の登場人物が居ない場合には０を取るような関数を用いることができる。また、登場人物にはグループも含まれるため、ある登場人物ＫＫがグループＸＸのメンバであった場合、「ＶＶ、ＷＷ、ＸＸ」、「ＫＫ、ＹＹ、ＺＺ」のようなメタデータＭ１１、Ｍ２１があったときに、Ｍ１１にはグループＸＸが出演、すなわち、このメンバのＫＫも出演、Ｍ２１にはグループＸＸは出演していないが、メンバであるＫＫは出演しているため、このような場合には、ＭＯ４／２を返すようにすることとしてもよい。
【００４０】
同様に、登場グループや登場人物の関係が定義される場合、例えば、グループＸＸとグループＹＹは同じ所属事務所である等といったような場合には、ＭＯ４／４を返すといったようにも拡張することとしてもよい。この場合、人物とグループ間の関係又は各人物、グループの所属する所属事務所間の関係は、メタデータ内に定義されている態様としてもよいし、外部のサーバ（情報サイト）から取得する態様としてもよい。
【００４１】
なお、以上では、出演者リストに登場する人に対して関連度の区別をしない例を示したが、これに限定されるものではない。出演者リストに出現する順番によって、さらに重み付けされる態様としてもよい。例えば、メタデータＭ１１の１番目に出てくる人との比較の場合は算出した関連度はそのままとし、２番目ならば関連度を１／２、３番目なら１／３とするといったように出現する順番に応じて重み付けを変化させることとしてもよい。また、メタデータＭ１１での順番とＭ２１での順番を両方とも加味する態様としてもよい。例えば、メタデータＭ１１の２番目の人物と、メタデータＭ２１の３番目の人物とを比較する場合、メタデータＭ１１の２番目ならば１／２、メタデータＭ２１の３番目ならば１／３となるため、トータルの関連度を１／２×１／３＝１／６とするようにしてもよい。また、メタデータとして、主演等の情報を用いて、主演者に対する関連度の重み付けを変えるようにしてもよい。例えば、主演の場合には算出した関連度を２倍するといったように重み付けを変化させることができる。
【００４２】
グループ化情報生成部１０９は、操作受付部１１１から入力されるグループ化表示の有効／無効の指示情報に応じて、類似関係にあるコンテンツ同士が同一グループであることを示したグループ化情報を生成するものである。
【００４３】
グループ化情報生成部１０９は、グループ化表示が有効の指示情報を受け付けると、他のコンテンツ各々を比較し、類似関係にあると判定した他のコンテンツ群毎に同一のグループであることを示したグループ化情報を生成し、表示情報生成部１１３及び表示制御部１１４に送出する。
【００４４】
具体的に、グループ化情報生成部１０９は、関連度算出部１０８で算出されたキーコンテンツに対する他のコンテンツ各々の関連度ＲＭの値に基づいて、所定値以上の関連度ＲＭを有した他のコンテンツを関連コンテンツに設定する。また、グループ化情報生成部１０９は、メタデータ検索部１０７から入力される他のコンテンツのメタデータに基づいて、関連コンテンツ間の類似度を判定し、類似関係にあると判定した関連コンテンツ群毎に同一のグループであること示したグループ化情報を生成する。
【００４５】
ここで、グループ化情報には、同一グループと判定したメンバ（関連コンテンツ群）を特定することが可能な情報や、各グループ化情報を識別することが可能な情報が含まれているものとする。
【００４６】
なお、類似度の判定方法は特に問わず、公知の技術を用いる形態としてもよいし、例えば、以下の４つの条件の何れかを満たすか、若しくはその組み合わせで判定する形態としてもよい。
【００４７】
第１の条件としては、ユーザ又はコンテンツ提供者により予め付与されている情報が同一であることが挙げられる。この第１の条件は、シリーズもの等の一連するコンテンツ群に対しては共通の情報が付与される傾向があるためである。
【００４８】
第２の条件としては、コンテンツの内容の一部又は全てが同一であることが挙げられる。この第２の条件は、例えば、同一シリーズの番組等で同一のオープニング画面が含まれる傾向があるためである。なお、この条件を用いる場合、グループ化情報生成部１０９は、メタデータに含まれた代表画像を比較することで同一か否かを判定する。
【００４９】
第３の条件としては、コンテンツのメインタイトルや作品名が同一であることが挙げられる。また、第４の条件としては、番組・作品のサブタイトル、テーマやシリーズ名が同一であることが挙げられる。
【００５０】
また、操作受付部１１１からグループ化無効の旨の指示情報が入力された場合、グループ化情報生成部１０９は、グループ化情報の生成を行わず、処理を停止する。
【００５１】
キーワード抽出部１１０は、キーコンテンツに対する他のコンテンツの関連度ＲＭの算出に係るメタデータの項目の中からその関連度の大きさに寄与する項目を、つながりキーワードとして他のコンテンツ毎に抽出するものである。具体的には、キーコンテンツのメタデータと他のコンテンツのメタデータとの間で一致（共通）するキーワード（共通キーワード）を、つながりキーワードとする。
【００５２】
つながりキーワードの種類は、例えば、タイトル名、人物名、ジャンル名、放送局、詳細情報等から抽出した文章や単語等である。ここで、例えば、キーワードの一致には、完全一致の他に、“野球”と“ベースボール”のように同じ内容を指すキーワードも一致とみなす。このつながりキーワードの一例を、図３を参照しながら説明する。図３は、つながりキーワードについて説明するための説明図である。同図では、他のコンテンツのメタデータに含まれるキーワードのうち「アジア」、「ヒマラヤ山脈」、「旅人」、「Ｄ」、「バラエティ」、「××ＴＶ放送」が、キーコンテンツのメタデータの中にも存在している。したがって、この場合、「アジア」、「ヒマラヤ」、「旅人」、「Ｄ」、「バラエティ」、「××ＴＶ放送」が、この他のコンテンツのつながりキーワードである。なお、図３では、上記の各つながりキーワードを、説明の便宜上、仮想線枠で囲繞して示してある。
【００５３】
また、キーワード抽出部１１０は、一つの他のコンテンツに対してつながりキーワードが複数ある場合には、キーコンテンツに対する関連度の大きさに対する寄与が大きい順につながりキーワードを表示するため優先度を設定し、つながりキーワード及びその優先度情報を表示情報生成部１１３に送出する。
【００５４】
操作受付部１１１は、リモコン１２０に備えられた操作ボタンが押下されたことを認識し、その操作内容を受け付けるものである。例えば、ユーザが複数のコンテンツから所望のコンテンツを検索し、さらにそのコンテンツと関連するコンテンツを検索する場合、表示部１１５に表示された電子番組表内の複数のコンテンツや、後述する一覧情報画面に配置された複数の他のコンテンツ（表示情報）から検索のキーとなるコンテンツを、リモコン１２０に備えられた操作ボタンで選択すると、操作受付部１１１は、選択されたコンテンツを検索時のキーコンテンツとして受け付ける。
【００５５】
なお、再生中のコンテンツをキーコンテンツとしてもよく、この場合、ユーザはコンテンツの再生中にリモコン１２０に備えられた操作ボタンを押下すると、操作受付部１１１は、その再生中のコンテンツをキーコンテンツとする選択操作、すなわちコンテンツの検索を行う旨の操作として受け付ける。
【００５６】
また、操作受付部１１１は、リモコン１２０に備えられた操作ボタンの操作により、表示情報の表示モードとして標準モード又は探索モードの一方の指定を受け付けると、この指定された表示モードを表示モード設定部１１２へ送出する。
【００５７】
また、操作受付部１１１は、リモコン１２０に備えられた操作ボタンの操作により、グループ化情報生成部１０９によるグループ化表示の有効／無効の指示を受け付けると、この指示情報をグループ化情報生成部１０９へ送出する。
【００５８】
表示モード設定部１１２は、表示情報の表示モードとして標準モードと探索モードとのうちの一方を設定するものである。この表示モードの設定は、例えば、図示しない記憶装置に表示モードフラグ領域を設け、標準モードの場合には表示モードフラグ領域にフラグを立てず、探索モードの場合に表示モードフラグ領域にフラグを立てるようにすることで行われる。表示モード設定部１１２は、例えば、ユーザがリモコン１２０の操作ボタンにより標準モードと探索モードとを選択的に指定可能な構成としてもよく、この選択操作を操作受付部１１１が受け付けた場合、指定されたモードに表示モードを設定する。
【００５９】
また、表示モード設定部１１２が行う表示モードの設定の別例として、表示モード選択メニュー画面を表示部１１５に表示し、ユーザによる操作機器の操作によって選択メニュー画面から表示モードが選択操作されるのを受けて行う形態としてもよい。また、この表示モードの設定の別例として、一定時間毎に標準モードと探索モードとを自動で切り替えてもよい。また、この表示モードの設定の別例として、注目コンテンツを変更した等のユーザが操作機器によって行う操作を受けた時に、所定の表示モードに切り替えるようにしてもよい。
【００６０】
表示情報生成部１１３は、グループ化情報生成部１０９で生成されたグループ化情報、及び、メタデータ検索部１０７から送出されたコンテンツ（キーコンテンツ及び他のコンテンツ）のメタデータから、各コンテンツの内容を表わす表示情報を生成するものである。
【００６１】
具体的に、表示情報生成部１１３は、グループ化情報に含まれる他のコンテンツ（関連コンテンツ）各々についてのメタデータから、一の表示情報を生成する。ここで、グループ化表示情報の生成方法としては、グループ化情報に含まれるコンテンツ群のうち、代表となる一のコンテンツのメタデータを用いることで、代表としたコンテンツの内容を表した表示情報を生成する形態としてもよい。また、各コンテンツのメタデータから共通する要素を抽出した結果を用いることで、コンテンツ群全体に共通する内容を表した表示情報を生成する形態としてもよい。
【００６２】
例えば、コンテンツが録画番組記憶部１０５に記憶された映像データの場合、表示情報生成部１１３は、この映像データのメタデータに基づいて、当該映像データの代表画像にタイトル等を付随させることで、表示部１１５に表示可能とした表示情報を生成する。また、コンテンツがＩＰＴＶサーバ１３０から取得された映像データの場合、表示情報生成部１１３は、この映像データのメタデータに基づいて、当該映像データの代表画像にタイトル等を付随させることで、表示部１１５に表示可能とした表示情報を生成する。また、コンテンツが、電子番組表記憶部１０４に記憶された電子番組表に含まれる場合、表示情報生成部１１３は、この電子番組表に基づいて、ＴＶ番組のタイトル、放送日時、チャンネル、番組内容等を、表示部１１５に表示可能とした表示情報を生成する。
【００６３】
なお、グループ化情報に含まれない単独の他のコンテンツについては、他のコンテンツのメタデータから、この他のコンテンツの内容を表す表示情報を夫々生成するものとする。
【００６４】
また、表示情報生成部１１３は、キーワード抽出部１１０から送出されたつながりキーワードとその優先度情報とから、つながりキーワードを示すキーワード表示情報を生成する。また、表示情報生成部１１３は、一つの他のコンテンツに対してつながりキーワードが複数ある場合には、キーコンテンツに対する関連度の大きさに対する寄与が大きい順に複数のつながりキーワードを並べて配置する。また、表示情報生成部１１３は、他のコンテンツの表示情報に当該表示情報に対応するキーワード表示情報を付加する。
【００６５】
また、表示情報生成部１１３は、表示モード設定部１１２により設定される表示モードに応じた表示情報を生成する。具体的に、表示情報生成部１１３は、設定された表示モードが“標準モード”の場合に、キーワード表示情報を含まない標準モード形式の表示情報を生成する。また、設定された表示モードが“探索モード”の場合に、キーワード表示情報を含む探索モード形式の表示情報を生成する。
【００６６】
標準モード形式の表示情報は、上記の表示情報のみで構成される一方、探索モード形式の表示情報は、表示情報と探索モード形式の表示情報とから構成される。即ち、標準モード形式の表示情報は、コンテンツ自体の情報を中心に表示するものであり、その内容は、代表画像、タイトル、放送局、情報チャンネル番号、ジャンル、放送日時等である。
【００６７】
一方、探索モード形式の表示情報は、つながりキーワードを強調して表示するものであり、コンテンツ自身の情報は、コンテンツの判別が可能な程度（例えばタイトルのみ等）で表示する。なお、探索モード形式の表示情報では、つながりキーワードのみを表示してもよい。つながりキーワードの表示方法は、例えばテキスト、アイコン、画像等である。ここで、キーワード毎にアイコンや画像が対応付けられた変換テーブルが記憶装置に記憶されており、表示情報生成部１１３は、その変換テーブルに基づいて、つながりキーワードをアイコンや画像に変換する。
【００６８】
なお、表示情報生成部１１３は、標準モード形式及び探索モード形式の何れの形式においても、グループ化情報に基づいて生成する表示情報については、単独の他のコンテンツのメタデータから生成した表示情報とは色調や形状等の表示形態を異ならせることで、グループ化されたものであることが視覚的に判別できるよう生成時に処理を施すものとする。
【００６９】
表示制御部１１４は、映像再生部１０３により送出されたコンテンツを表示部１１５に再生表示するものである。
【００７０】
また、表示制御部１１４は、操作受付部１１１がユーザからコンテンツの検索を行う旨の操作を受け付けた場合、ユーザが検索を行うための、キーコンテンツの表示情報とキーコンテンツに関連性を持つ他のコンテンツの表示情報とを一覧表示した一覧情報画面を表示部１１５に表示する。このとき、表示制御部１１４は、表示モードが標準モードの場合には、表示情報として標準モード形式の表示情報を用いた一覧情報画面（以後、標準一覧情報画面ともいう）を表示する、また、表示モードが探索モードである場合には、表示情報として探索モード形式の表示情報を用いた一覧情報画面（以後、探索一覧情報画面ともいう）を表示する。これらの標準一覧情報画面及び探索一覧情報画面では、表示情報の内容は異なるが配置方法は同じである。そのため、以下では標準一覧情報画面と探索一覧情報画面とを区別しないで説明する場合には、それらを単に一覧情報画面として説明を進める。
【００７１】
一覧情報画面は、キーコンテンツの表示情報を所望の位置に配置するとともに、当該キーコンテンツの表示情報の位置を中心に同心形状に形成された複数の多角形上であって、リモコン１２０に設けられた操作ボタンとしての例えば十字キーや、キーボードの例えば十字キーによる操作方向に沿う形状で、他のコンテンツの表示情報をそれぞれ配置したものである。また、一覧情報画面では、他のコンテンツ表示情報は、中心から放射方向に向けて所定の項目毎に区分けされた表示領域に、中心近傍から関連度の高い順にそれぞれ配置される。
【００７２】
以下、この表示情報の表示動作の詳細について、図４−１〜図１０を参照して説明する。ここで、図４−１〜図１０は、表示情報の表示動作の詳細に関する説明図である。なお、図５、図６は、一覧情報画面の例として標準一覧情報画面を示しており、図８は、探索一覧情報画面を示している。
【００７３】
まず、図４−１に示すように、表示制御部１１４は、キーコンテンツの表示情報Ｃ１を所望の位置に配置し、キーコンテンツの表示情報Ｃ１を中心にｘ軸正方向、ｘ軸負方向、ｙ軸正方向、ｙ軸負方向の４軸（軸１〜４）を設定し、選択されたキーコンテンツのメタデータに含まれている項目を各軸に割り当てる。図２を参照すると、例えば、メタデータに含まれる項目としては、ＴＶ番組（コンテンツ）の「タイトル」、出演者を示す「人物」、番組内容に含まれる検索を行う際の「キーワード」、ＴＶ番組の「ジャンル」等を割り当てる。この各軸に割り当てた項目は、ユーザがキーコンテンツに関連する他のコンテンツを検索する際の指標として用いることができる。
【００７４】
そして、表示制御部１１４は、図４−２に示すように、各項目を示す各軸をそれぞれ含む任意の角度、例えば軸を含む９０度で、中心にあるキーコンテンツの表示情報Ｃ１から放射方向に向けて領域を区分けすることで、各軸を含む表示領域Ａ１〜Ａ４を生成する。
【００７５】
次に、表示制御部１１４は、他のコンテンツの表示情報の配置先となる表示領域を、関連度算出部１０８で算出された項目別関連度の値に基づいて決定する。具体的には、各軸に割り当てを行った項目のうち、項目別関連度の値が最大となる項目を他のコンテンツ各々について特定し、この特定した項目が割り当てられた軸を包含する表示領域を、配置先として決定する。
【００７６】
なお、グループ化情報に基づいて生成された表示情報については、グループ化された各コンテンツの項目別関連度に基づいて、配置先となる表示領域を決定する。例えば、各コンテンツについて算出された項目別関連度のうち、最大値を示した項目名の表示領域を配置先としてもよいし、項目別関連度の平均値を項目毎に算出し、この平均値が最大値となった項目名の表示領域を配置先としてもよい。
【００７７】
次に、表示制御部１１４は、図５に示すように、キーコンテンツの表示情報Ｃ１の位置を中心とした同心形状に形成された複数の８角形Ｆ１、Ｆ２…上であって、リモコン１２０の操作ボタンやキーボードキーによる上下左右の操作方向に沿う形状で、他のコンテンツの表示情報を配置先となる表示領域に配置していく。
【００７８】
つまり、表示制御部１１４は、８角形Ｆ１の頂点に、他のコンテンツの表示情報Ｃ１１〜Ｃ１８までの８個の表示情報を配置する。また、表示制御部１１４は、８角形Ｆ２の頂点には、他のコンテンツの表示情報Ｃ２１、Ｃ２３、Ｃ２５、Ｃ２７、Ｃ２９、Ｃ３１、Ｃ３３、Ｃ３５の８つの表示情報を配置し、それぞれの表示情報の間に、操作方向に沿うように他のコンテンツの表示情報Ｃ２２、Ｃ２４、Ｃ２６、Ｃ２８、Ｃ３０、Ｃ３２、Ｃ３４、Ｃ３６の８個の表示情報を配置する。以下同様に、８角形の頂点に他のコンテンツの表示情報を８つ配置し、それぞれの表示情報の間にさらに他のコンテンツの表示情報を配置していく。
【００７９】
このように他のコンテンツの表示情報を配置すると、いずれの表示情報から上下左右の操作がなされても、その操作方向に沿って、その表示情報以外の表示情報が配置されることになる。なお、図５において、他のコンテンツの表示情報Ｃ１１、Ｃ１３、Ｃ１６、Ｃ１８、Ｃ２７及びＣ３０は、グループ化情報から生成された表示情報であって、単独の他のコンテンツに係る表示情報とは異なる色調で表されている。
【００８０】
また、表示制御部１１４は、図６に示すように、他のコンテンツの表示情報を、キーコンテンツの表示情報Ｃ１が配置されている中心近傍から外側に向かって、キーコンテンツとの関連度の高い順に配置する。すなわち、表示制御部１１４は、図５で示すと、８角形Ｆ１上に、最もキーコンテンツとの関連度ＲＭが高い他のコンテンツの表示情報を配置し、さらに、Ｆ２、Ｆ３…（不図示）上に、関連度ＲＭの高い順に他のコンテンツの表示情報を配置していく。なお、表示制御部１１４は、キーコンテンツの表示情報の表示サイズを最大とし、中心近傍から離れるに従って他のコンテンツの表示情報の表示サイズを小さくして表示する。なお、表示情報の配置位置及び表示サイズは、表示制御部１１４が予め記憶しており、キーコンテンツに対する関連度を算出した後に、他のコンテンツの表示情報を所定の表示サイズにして順番に配置していく。
【００８１】
結果として、表示制御部１１４は、図７に示すように、境界線Ｂ１と境界線Ｂ４とで囲まれた表示領域Ａ１、境界線Ｂ１と境界線Ｂ２とで囲まれた表示領域Ａ２、境界線Ｂ２と境界線Ｂ３とで囲まれた表示領域Ａ３、及び、境界線Ｂ３と境界線Ｂ４とで囲まれた表示領域Ａ４に割り当てられた表示領域の項目（各軸の項目）毎に、図７の表示情報上に示した数字の順番で他のコンテンツの表示情報を配置することで、項目毎にキーコンテンツとの関連度が高い順に中心近傍から他のコンテンツの表示情報を配置する。これにより、表示制御部１１４は、他のコンテンツの表示情報を各表示領域の項目毎に分類する。
【００８２】
なお、図７では、表示領域間の境界線Ｂ１〜Ｂ４を折れ線で表しているが、これに限らず、直線や曲線で表す形態としてもよいし、非表示とする形態としてもよい。また、各表示領域の項目名を、対応する表示領域内に表示する形態としてもよい。
【００８３】
表示制御部１１４は、このようにしてキーコンテンツの表示情報と他のコンテンツの表示情報とを配置した一覧情報画面を生成し、生成した一覧情報画面を表示部１１５に表示する。
【００８４】
ところで、図５及び図６で示した一覧表示画面は、標準モードでの一覧情報画面の一例を示した図である。一方、探索モードの場合には、図８に示すように、表示情報として探索モード形式の表示情報を用いた探索一覧情報画面を表示部１１５に表示する。このとき、標準一覧情報画面と探索一覧情報画面との切り替えを行っても一覧表示されるコンテンツ及びその表示情報の配置は相互に同じものである。これによって、表示制御部１１４は、コンテンツの標準モード形式の表示情報とそのコンテンツの探索モード形式の表示情報におけるキーワード表示情報Ｄとを対応付けて表示している。探索一覧情報画面には、標準一覧情報画面と同様、キーコンテンツの表示情報の位置から関連度の高い順に他のコンテンツを夫々配置してあり、さらにキーワード表示情報Ｄが含まれている。そのため、探索一覧情報画面では、キーコンテンツの表示情報Ｃ１の位置から関連度の高い順に他のコンテンツの配置情報を夫々配置した一覧情報画面と、キーワード表示情報Ｄとが表示部１１５に表示されることになる。
【００８５】
なお、図８においても図５及び図６と同様に、グループ化情報から生成された表示情報Ｃ１１、Ｃ１３、Ｃ１６、Ｃ１８、Ｃ２７及びＣ３０は、単独の他のコンテンツに係る表示情報とは異なる色調で表されている。また、探索一覧情報画面において、キーワード表示情報Ｄ中のつながりキーワード毎に表示色を変更してもよい。例えば、コンテンツのキーワード表示情報Ｄ中に表示されたつながりキーワードである「北京」、「中国」を、それぞれ赤、青等と相互に異なる色としてもよい。
【００８６】
表示部１１５は、文字や画像を表示する液晶画面（ＬＣＤ）等であり、受信したＴＶ番組等のコンテンツや記憶されているコンテンツ、電子番組表等を表示するものである。また、表示部１１５は、ユーザがコンテンツの検索を行うために、後述する表示情報生成部１１３により生成されたコンテンツの内容を表わす表示情報を表示する。
【００８７】
なお、表示処理装置１００は、ＣＰＵ（プロセッサ）、ＲＯＭ、ＲＡＭ、ＨＤＤ等の記憶媒体を具備し（何れも図示せず）、この記憶媒体に表示処理装置１００を制御するためのプログラムや設定情報が予め格納されている。記憶媒体に記憶されるプログラムは、上述した各部（放送受信部１０２、映像再生部１０３、メタデータ取得部１０６、メタデータ検索部１０７、関連度算出部１０８、グループ化情報生成部１０９、キーワード抽出部１１０、操作受付部１１１、表示モード設定部１１２、表示情報生成部１１３、表示制御部１１４）を含むモジュール構成となっており、実際のハードウェアとしてはＣＰＵが記憶媒体からプログラムを読み出して実行することにより上記各部が主記憶装置上にロードされ、放送受信部１０２、映像再生部１０３、メタデータ取得部１０６、メタデータ検索部１０７、関連度算出部１０８、グループ化情報生成部１０９、キーワード抽出部１１０、操作受付部１１１、表示モード設定部１１２、表示情報生成部１１３及び表示制御部１１４がＲＡＭ上に生成されるようになっている。
【００８８】
次に、以上のように構成された表示処理装置１００による一覧表示画面の表示処理について説明する。図９は、表示処理装置１００による一覧表示画面の表示処理の流れを示すフローチャートである。
【００８９】
まず、操作受付部１１１は、リモコン１２０から、キーコンテンツの選択操作を受け付けるまで待機する（ステップＳ１１；Ｎｏ）。操作受付部１１１が選択操作を受け付けると（ステップＳ１１；Ｙｅｓ）、メタデータ取得部１０６は、選択されたキーコンテンツのメタデータを取得する（ステップＳ１２）。次に、メタデータ取得部１０６は、キーコンテンツ以外の他のコンテンツのメタデータを取得する（ステップＳ１３）。
【００９０】
続いて、関連度算出部１０８は、メタデータ検索部１０７を介し各コンテンツのメタデータを受け付けて、キーコンテンツに対する他のコンテンツ各々の関連度を、キーコンテンツのメタデータに含まれる項目毎に算出する（ステップＳ１４）。
【００９１】
ここで、グループ化表示の有効が指示されている場合には(ステップＳ１５；Ｙｅｓ)、グループ化情報生成部１０９は、他のコンテンツ（関連コンテンツ）各々に対して類似度の判定を行い、グループ化情報を生成する（ステップＳ１６）。次いで、表示制御部１１４は、キーコンテンツに対する他のコンテンツ各々の関連度及びグループ化情報に基づいて、キーコンテンツ及び他のコンテンツの表示情報を配置するための配置情報（軸や表示領域等）を生成する（ステップＳ１７）。
【００９２】
一方、グループ化表示の無効が指示されている場合(ステップＳ１５；Ｎｏ)、表示制御部１１４は、関連度算出部１０８で算出されたキーコンテンツに対する他のコンテンツ各々の関連度に基づいて、キーコンテンツ及び他のコンテンツの表示情報を配置するための配置情報を生成する（ステップＳ１８）。
【００９３】
表示モード設定部１１２によって表示モードが探索モードに設定されている場合には（ステップＳ１９；Ｙｅｓ）、表示情報生成部１１３は、つながりキーワードとその優先度情報を取得し（ステップＳ２０）、探索モード形式の表示情報を生成する（ステップＳ２１）。そして、表示制御部１１４は、探索モード形式の表示情報を配置した一覧情報画面（探索一覧情報画面）を生成し（ステップＳ２２）、生成したその一覧情報画面を表示部１１５に表示する（ステップＳ２５）。
【００９４】
一方、表示モード設定部１１２によって表示モードが探索モードではなく標準モードに設定されている場合には（ステップＳ１９；Ｎｏ）、表示情報生成部１１３は、標準モード形式の表示情報を生成する（ステップＳ２３）。そして、表示制御部１１４は、標準モード形式の表示情報を配置した一覧情報画面（標準一覧情報画面）を生成し（ステップＳ２４）、生成したその一覧情報画面を表示部１１５に表示する（ステップＳ２５）。
【００９５】
以上のように、本実施形態の表示処理装置１００によれば、番組タイトルが同一等の類似性を有した他のコンテンツ群を一の表示情報として表示することができるため、一度に表示するコンテンツの実質的な種類を増やすことが可能である。これにより、ユーザは多種多様なコンテンツから所望のコンテンツの発見を容易に行うことができるため、コンテンツの検索に係る利便性を向上させることができる。
【００９６】
［第２の実施形態］
次に、第２の実施形態について説明する。上述した第１の実施形態では、類似するコンテンツをグループ化し一の表示情報で表すことで、キーコンテンツの表示情報とともに一覧表示する形態を説明した。しかしながら、グループ化されたコンテンツの表示情報を配置する場合、個々のコンテンツの関連度を反映することができないため、図７に示したような関連度に基づく配置関係が崩れる可能生がある。そこで、第２の実施形態では、グループ化されたコンテンツの表示情報の配置に関し、関連度に基づく配置関係を保持することが可能な形態について説明する。なお、第１の実施形態と同様の構成については、同じ符号を付与し説明を省略する。
【００９７】
図１０は、本実施形態に係る表示処理装置２００の構成を示す図である。同図に示すように、表示処理装置２００は、ＩＰＴＶ接続部１０１と、放送受信部１０２と、映像再生部１０３と、電子番組表記憶部１０４と、録画番組記憶部１０５と、メタデータ取得部１０６と、メタデータ検索部１０７と、関連度算出部１０８と、グループ化情報生成部２０１と、キーワード抽出部１１０と、操作受付部１１１と、表示モード設定部１１２と、表示情報生成部１１３と、表示制御部１１４と、表示部１１５とを備えている。なお、キーワード抽出部１１０からグループ化情報生成部２０１への入力については、後述する変形例２で説明する。
【００９８】
グループ化情報生成部２０１は、上述したグループ化情報生成部１０９と同様の機能を有し、類似関係にある関連コンテンツ群を一覧情報画面の生成時に配置される表示領域（軸）毎にグループ化する点でグループ化情報生成部１０９と異なっている。
【００９９】
具体的に、グループ化情報生成部２０１は、類似関係にあると判定した関連コンテンツの各々について、関連度算出部１０８で算出された項目別関連度の値を参照し、この値が最大となる“ｎ”、即ちメタデータの項目を特定する。そして、グループ化情報生成部２０１は、特定した項目が同一の関連コンテンツ群毎に、同一のグループであることを示したグループ化情報を生成し表示情報生成部１１３及び表示制御部１１４に送出する。
【０１００】
上述したように、項目別関連度の値は、表示制御部１１４が他のコンテンツの表示情報の配置先（表示領域）を決定する際の指標としている。そのため、項目別関連度の値が最大となった項目に基づいてグループ化することで、一覧情報画面画像生成時において配置先が同一の表示領域となる関連コンテンツ群のみで、グループ化情報を生成することができる。
【０１０１】
図１１は、本実施形態の表示処理装置２００により生成された一覧情報画面の一例を示す図である。同図において、他のコンテンツの表示情報Ｃ４１〜Ｃ４７は、グループ化情報に基づいて生成された表示情報であって、単独の他のコンテンツに係る表示情報とは異なる色調で表されている。なお、同図ではグループ化した関連コンテンツに共通するタイトルを表示領域に表し、また、関連コンテンツが連作ものである場合にはその個数（話数又は回数）を表示情報に表している（以下同様）。
【０１０２】
ここで、表示情報Ｃ４１とＣ４４に着目すると、同一のタイトル“タイトル２”を有するため、これらの表示情報に含まれるコンテンツは類似判定において、類似関係にあると本来判定されるものである。しかしながら、グループ化情報生成部２０１は、これら関連コンテンツの配置先、即ち表示領域Ａ１と表示領域Ａ２との軸に割り当てられる項目に基づいてグループ化を行うことで、配置先が同一の表示領域となる関連コンテンツ群毎にグループ化する。そのため、グループ化された関連コンテンツ各々の配置先は同一となるため、図１１に示したように同一タイトルからなる表示情報Ｃ４１及びＣ４４が、異なる表示領域に配置されることになる。
【０１０３】
このように、表示領域の軸に割り当てられる項目に基づいて、類似判定にあると判定した関連コンテンツのグループ化を行うことで、各関連コンテンツの配置先を保持した状態で表示情報を配置することができるため、関連度に基づく配置関係を保持することができる。
【０１０４】
なお、本実施形態では、表示領域決定時の指標となる項目別関連度、即ち表示領域の軸に割り当てられる項目に基づいて、グループ化する関連コンテンツを選別する形態としたが、これに限らず、他の指標に基づいてグループ化する関連コンテンツを選別する形態としてもよい。以下、本実施形態の変形例として、他の指標を用いてグループ化を行う形態について説明する。
【０１０５】
［変形例１］
本実施形態の変形例１について説明する。本変形例では、類似関係にある関連コンテンツ群を、関連度ＲＭの値に基づいてグループ化する形態について説明する。
【０１０６】
本変形例に係るグループ化情報生成部２０１では、類似関係にあると判定した関連コンテンツの各々について、関連度算出部１０８で算出されたキーコンテンツに対する関連度ＲＭの値を参照し、この値が同一となった関連コンテンツ群毎に同一のグループであることを示したグループ化情報を生成する。
【０１０７】
上述したように、関連度ＲＭの値は、表示制御部１１４が他のコンテンツの表示情報を表示領域内のどの位置に割り当てるかを決定する際の指標としている。そのため、関連度ＲＭの値が同一の関連コンテンツをグループ化することで、表示領域内での配置位置が略同等となる関連コンテンツにより、グループ化情報を生成することができる。これにより、キーコンテンツの表示情報からの配置距離を保持した状態で、グループ化された関連コンテンツの表示情報を配置することができるため、関連度に基づく配置関係を保持することができる。
【０１０８】
［変形例２］
次に、本実施形態の変形例２について説明する。本変形例では、類似関係にある関連コンテンツ群を、つながりキーワードの同一性に基づいてグループ化を行う形態について説明する。なお、本変形例では、図１０に示したように、キーワード抽出部１１０により抽出されたつながりキーワードが、グループ化情報生成部２０１に入力されるよう構成されているものとする。
【０１０９】
本変形例のグループ化情報生成部２０１は、類似関係にあると判定した関連コンテンツの各々について、キーワード抽出部１１０により抽出されたつながりキーワードを参照し、このつながりキーワードが同一の関連コンテンツ群毎に同一のグループであることを示したグループ化情報を生成する。
【０１１０】
上述したように、つながりキーワードは、関連度ＲＭの算出に係るメタデータの項目の中からその関連度の大きさに寄与する項目を抽出したものである。そのため、つながりキーワードが同一の関連コンテンツ毎にグループ化することで、表示領域内での配置位置が同様となる関連コンテンツ群によりグループ化情報を生成することができる。
【０１１１】
図１２は、本変形例の表示処理装置２００により生成された一覧情報画面の一例を示す図である。同図において、他のコンテンツの表示情報Ｃ５１〜Ｃ５８は、グループ化情報から生成された表示情報であって、単独の他のコンテンツに係る表示情報（例えば、Ｃ６１）とは異なる色調で表されている。また、同図ではキーワード抽出部１１０により抽出されたつながりキーワードをキーワード表示情報Ｄとして表している。
【０１１２】
ここで、表示情報Ｃ５３と表示情報Ｃ６１とに着目すると、同一のタイトル“タイトル１”を有するため、これらの表示情報に対応するコンテンツは、類似判定において類似関係にあると本来判定されるものである。しかしながら、グループ化情報生成部２０１は、これらコンテンツのつながりキーワードに基づいてグループ化を行うことで、つながりキーワードが同一の関連コンテンツ群毎にグループ化する。そのため、図１２に示したようにつながりキーワードが異なるものがグループ化のメンバから外されるため、表示情報Ｃ５３とＣ６１とが分別されることになる。
【０１１３】
このように、つながりキーワードの同一性に基づいて、類似判定にあると判定した関連コンテンツのグループ化を行うことで、各関連コンテンツの配置先を保持した状態で表示情報を配置することができるため、関連度に基づく配置関係を保持することができる。
【０１１４】
［第３の実施形態］
次に、第３の実施形態について説明する。上述した実施形態では、類似関係にあると判定した関連コンテンツ同士をグループ化し、一の表示情報で表す形態を説明した。しかしながら、この形態では、配置先となる表示領域によっては、その表示領域を有効に活用できない場合がある。
【０１１５】
例えば、グループ化されるコンテンツ群は、そもそもキーコンテンツにタイトル名等が類似しているコンテンツ群であるためこれらをグループ化してしまうと、項目が“タイトル名”の表示領域に配置される表示情報の個数が極端に少なくなる場合がある。また、ある表示領域に配置される表示情報自体が少ない場合、この表示領域へ表示情報が配置されるはずのコンテンツをグループ化してしまうと、表示情報の個数が極端に少なくなる場合がある。これらの例の場合、表示領域が無駄に空いてしまうため、多数の表示情報を表示させるために確保した表示領域を有効に活用できない。
【０１１６】
そこで、第３の実施形態では、表示領域を有効に活用することが可能な形態について説明する。なお、上述した第１の実施形態と同様の要素については、同じ符号を付与し説明を省略する。
【０１１７】
図１３は、本実施形態に係る表示処理装置３００の構成を示す図である。同図に示すように、表示処理装置３００は、ＩＰＴＶ接続部１０１と、放送受信部１０２と、映像再生部１０３と、電子番組表記憶部１０４と、録画番組記憶部１０５と、メタデータ取得部１０６と、メタデータ検索部１０７と、関連度算出部１０８と、グループ化情報生成部３０１と、キーワード抽出部１１０と、操作受付部１１１と、表示モード設定部１１２と、表示情報生成部１１３と、表示制御部１１４と、表示部１１５とを備えている。
【０１１８】
グループ化情報生成部３０１は、上述したグループ化情報生成部１０９と同様の機能を有し、一覧情報画面の生成時において所定の表示領域に配置される関連コンテンツ（表示情報）については、グループ化を行わないよう制御する点で異なっている。
【０１１９】
具体的に、グループ化情報生成部３０１は、類似関係にあると判定した関連コンテンツの各々について、関連度算出部１０８で算出された項目別関連度の値を参照し、この値が最大となる“ｎ”、即ちメタデータの項目名を特定する。そして、グループ化情報生成部３０１は、この特定した項目名が所定の条件を満たす場合に、当該項目名について特定した関連コンテンツ群のグループ化を抑制する。
【０１２０】
ここで、所定の条件に該当する項目としては、例えば、一覧情報画面の生成時において、表示領域に配置される表示情報の個数が予め定めた閾値を下回る場合に、この表示領域が包含する軸に割り当てる項目名とすることができる。より具体的な実現方法としては、全ての他のコンテンツ各々について、関連度算出部１０８で算出された項目別関連度の各値を参照し、その値が最大となった項目毎の個数を集計する。そして、この集計結果が予め定めた閾値を下回った項目を、グループ化を行わないものと定めることができる。
【０１２１】
また、他の例としては、リモコン１２０等を介してユーザから明示的に入力された項目を、グループ化を行わないものと定める形態としてもよい。
【０１２２】
図１４は、本実施形態の表示処理装置３００により生成された一覧情報画面の一例を示す図である。同図において、他のコンテンツの表示情報Ｃ７１〜Ｃ７６は、グループ化情報から生成された表示情報であって、単独の他のコンテンツに係る表示情報（例えば、Ｃ８１〜Ｃ８５）とは異なる色調で表されている。
【０１２３】
ここで、表示領域に配置される表示情報の個数が６未満の場合にグループ化を行わないよう予め設定されていたとすると、グループ化情報生成部３０１は、表示領域Ａ３に配置される表示情報Ｃ８１〜Ｃ８５のコンテンツがこの条件に該当すると判断し、これらの表示情報についてはグループ化を行わないよう制御する。そのため、グループ化情報生成部３０１は、表示領域Ａ３に配置されるタイトルが同一（タイトル１４）の関連コンテンツに対しグループ化を行わず、その結果として単独の表示情報Ｃ８１〜Ｃ８５が表示領域Ａ３に配置されることなる。
【０１２４】
このように、表示領域に配置される表示情報の個数が所定の閾値を下回る場合に、その表示領域に配置される関連コンテンツのグループ化を抑制することで、表示領域が無駄に空いてしまうことを防止することができるため、表示領域を有効に活用することができる。
【０１２５】
また、図１５は、本実施形態の表示処理装置３００により生成された一覧情報画面の他の例を示す図である。同図において、他のコンテンツの表示情報Ｃ９１〜Ｃ９５は、グループ化情報から生成された表示情報であって、単独の他のコンテンツに係る表示情報（例えば、Ｃ１０１〜Ｃ１０９）とは異なる色調で表されている。
【０１２６】
ここで、表示領域Ａ２に含まれる軸に割り当てられた項目名（例えば、タイトル）に対し、グループ化を行わないよう予め設定されていたとすると、グループ化情報生成部３０１は、表示領域Ａ２に配置される表示情報Ｃ１０１〜Ｃ１０９に係るコンテンツが条件に該当すると判断し、これらのコンテンツ群についてはグループ化を行わないよう制御する。そのため、表示領域Ａ２の項目に関連するコンテンツでは、タイトル名が同一のコンテンツであってもグループ化は行われず、“タイトル１”の表示情報Ｃ１０２、Ｃ１０３、Ｃ１０４及びＣ１０７や、“タイトル２”の表示情報Ｃ１０５及びＣ１０６のように、表示情報が個別に配置されることになる。
【０１２７】
このように、特定の項目についてはグループ化を抑制することで、当該項目が割り当てられた軸の表示領域に配置される関連コンテンツ各々について、表示情報を個別に生成させることができる。
【０１２８】
［第４の実施形態］
以下、第４の実施形態について説明する。上述した実施形態では、類似するコンテンツ同士をグループ化することで一の表示情報で表す形態を説明した。この形態の場合、例えば、キーコンテンツとの関連度が高い関連コンテンツについては、表示情報を個別に確認するようなユーザの需要が考えられる。そこで、本実施形態では、キーコンテンツとの関連度が所定の閾値を下回った関連コンテンツについてのみグループ化を行うことが可能な形態について説明する。なお、上述した第１の実施形態と同様の要素については、同じ符号を付与し説明を省略する。
【０１２９】
図１６は、本実施形態に係る表示処理装置４００の構成を示す図である。同図に示すように、表示処理装置４００は、ＩＰＴＶ接続部１０１と、放送受信部１０２と、映像再生部１０３と、電子番組表記憶部１０４と、録画番組記憶部１０５と、メタデータ取得部１０６と、メタデータ検索部１０７と、関連度算出部１０８と、グループ化情報生成部４０１と、キーワード抽出部１１０と、操作受付部１１１と、表示モード設定部１１２と、表示情報生成部１１３と、表示制御部１１４と、表示部１１５とを備えている。
【０１３０】
グループ化情報生成部４０１は、上述したグループ化情報生成部１０９と同様の機能を有し、キーコンテンツとの関連度が所定の閾値を下回った関連コンテンツについてグループ化を行う点で異なっている。
【０１３１】
具体的に、グループ化情報生成部４０１は、類似関係にあると判定した関連コンテンツの各々について、関連度算出部１０８で算出されたキーコンテンツに対する関連度ＲＭの値を参照し、この値が所定の閾値を下回った関連コンテンツ同士に対してのみ同一のグループであることを示したグループ化情報を生成する。なお、グループ化を行うか否かの判定の指標となる閾値は、任意の値を設定することが可能である。
【０１３２】
図１７は、本実施形態の表示処理装置４００により生成された一覧情報画面の一例を示す図である。同図において、他のコンテンツの表示情報Ｃ１１１〜Ｃ１１４は、グループ化情報から生成された表示情報であって、単独の他のコンテンツに係る表示情報（例えば、Ｃ１２１〜Ｃ１２５）とは異なる色調で表されている。
【０１３３】
上述したように、他のコンテンツの表示情報は、キーコンテンツの表示情報Ｃ１の配置位置から離れるにつれて、当該キーコンテンツとの関連度が低くなっている、ここで、グループ化情報生成部４０１は、同一のタイトル“タイトル１”を有する関連コンテンツ群のグループ化を行う際に、各関連コンテンツについての関連度ＲＭが所定の閾値を下回ったものをグループ化する。その結果、表示領域Ａ２に示すように、所定レベルまでの関連度を有した関連コンテンツの表示情報Ｃ１２１、Ｃ１２２、Ｃ１２３が個別に生成され、該当する位置に配置されることになる。一方、所定レベルを下回る比較的関連度の低い関連コンテンツについては、グループ化情報生成部４０１によりグループ化が行われるため、このグループ化情報から生成された表示情報Ｃ１１２が、該当する位置に配置されることになる。
【０１３４】
また、“タイトル８”を有する関連コンテンツ群についても同様に、関連度ＲＭが所定の閾値を下回ったものをグループ化する。その結果、表示領域Ａ４に示すように、所定レベル以上の関連度を有した関連コンテンツの表示情報Ｃ１２４、Ｃ１２５が個別に生成され、該当する位置に配置される。一方、所定レベルを下回る比較的関連度の低い関連コンテンツ群については、グループ化情報生成部４０１によりグループ化が行われるため、このグループ化情報から生成された表示情報Ｃ１１３が、該当する位置に配置されることになる。
【０１３５】
このように、関連度ＲＭが所定の閾値を下回った関連コンテンツに対してのみグループ化を行うため、比較的関連度が高い関連コンテンツについては当該関連コンテンツの各々について表示情報を個別に生成することができる。
【０１３６】
［第５の実施形態］
以下、第５の実施形態について説明する。上述した実施形態では、キーコンテンツの選択時に、このキーコンテンツに関連する他のコンテンツの中から類似関係にある関連コンテンツ同士をグループ化する形態について説明した。本実施形態では、電子番組表記憶部１０４や録画番組記憶部１０５等の各コンテンツについて、類似関係にあるコンテンツ群を予めグループ化しておく形態について説明する。なお、上述した第１の実施形態と同様の要素については、同じ符号を付与し説明を省略する。
【０１３７】
図１８は、本実施形態に係る表示処理装置５００の構成を示す図である。同図に示すように、表示処理装置５００は、ＩＰＴＶ接続部１０１と、放送受信部１０２と、映像再生部１０３と、電子番組表記憶部１０４と、録画番組記憶部１０５と、メタデータ取得部５０１と、メタデータ検索部１０７と、関連度算出部５０２と、グループ化情報生成部５０３と、キーワード抽出部１１０と、操作受付部１１１と、表示モード設定部１１２と、表示情報生成部５０５と、表示制御部５０６と、表示部１１５とを備えている。
【０１３８】
メタデータ取得部５０１は、メタデータ取得部１０６と同様の機能を有するとともに、電子番組表記憶部１０４、録画番組記憶部１０５及びＩＰＴＶサーバ１３０等からコンテンツのメタデータを所定時間毎に取得し、関連度算出部５０２に送出する。
【０１３９】
関連度算出部５０２は、関連度算出部１０８と同様の機能を有するとともに、メタデータ取得部５０１で取得された各コンテンツのメタデータに基づいて、各コンテンツ間の関連度ＲＭを、メタデータに含まれる項目（例えば、タイトルやチャンネル）毎に算出する。なお、関連度ＲＭの算出方法は関連度算出部１０８と同様であるとする。
【０１４０】
グループ化情報生成部５０３は、関連度算出部５０２で算出された各コンテンツ間の関連度ＲＭの値に基づき、所定値以上の関連度ＲＭを有するコンテンツを関連コンテンツに設定する。また、グループ化情報生成部５０３は、メタデータ取得部５０１から入力される各コンテンツのメタデータに基づいて、関連コンテンツ同士の類似度を算出し、類似関係にあると判定した関連コンテンツ群について、同一のグループであること示したグループ化情報を生成する。
【０１４１】
また、グループ化情報生成部５０３は、類似関係にあると判定した関連コンテンツ群について、関連コンテンツ各々のメタデータから一の新たなメタデータを生成するとともに、当該関連コンテンツ群全体の関連度を設定し、対応するグループ化情報に含めてグループ化情報記憶部５０４に記憶する。
【０１４２】
ここで、新たなメタデータの生成方法としては、例えば、類似関係にある関連コンテンツ各々のメタデータの論理積（ＡＮＤ）又は論理和（ＯＲ）を取ることで生成することができる。また、関連コンテンツ群全体の関連度としては、種々の形態が考えられるが、例えば、代表となる関連コンテンツの関連度（及び項目別関連度）を関連コンテンツ群全体の関連度としてもよいし、関連コンテンツ各々について算出された項目別関連度の最大値を抽出し、これら項目別関連度の最大値の和を関連コンテンツ群全体の関連度としてもよい。
【０１４３】
グループ化情報記憶部５０４は、グループ化情報生成部５０３で生成されたグループ化情報を記憶するＨＤＤやメモリ等の記憶媒体である。
【０１４４】
表示情報生成部５０５は、上述した表示情報生成部１１３と同様の機能を有するとともに、グループ化情報記憶部５０４に記憶された各グループ化情報のメタデータから、このグループ化情報に示された関連コンテンツ全体の内容を表す一の表示情報を夫々生成する。なお、表示情報生成部５０５は、グループ化情報に示された関連コンテンツの各々については、個別に表示情報を生成しないよう排他制御を行うものとする。
【０１４５】
表示制御部５０６は、上述した表示制御部１１４と同様の機能を有するとともに、表示情報生成部５０５でグループ化情報に基づいて生成された表示情報を、このグループ化情報に含まれた関連度（個別関連度）に基づいて配置した一覧情報画面を生成し、表示部１１５に表示する。
【０１４６】
次に、以上のように構成された表示処理装置５００による表示情報の表示処理について説明する。図１９は、表示処理装置５００による表示情報の表示処理の流れを示すフローチャートである。
【０１４７】
まず、本処理の前提として、グループ化情報生成部５０３は、類似関係にあると判定した各関連コンテンツ群について、同一のグループであること示したグループ化情報と当該関連コンテンツ群を表す一のメタデータとを生成し、これらを関連付けてグループ化情報記憶部５０４に記憶しているものとする（ステップＳ３１）。
【０１４８】
操作受付部１１１は、リモコン１２０から、キーコンテンツの選択操作を受け付けるまで待機する（ステップＳ３２；Ｎｏ）。操作受付部１１１が選択操作を受け付けると（ステップＳ３２；Ｙｅｓ）、メタデータ取得部５０１は、選択されたキーコンテンツのメタデータを取得する（ステップＳ３３）。次に、メタデータ取得部５０１は、キーコンテンツ以外の他のコンテンツのメタデータを取得する（ステップＳ３４）。
【０１４９】
続いて、関連度算出部５０２は、メタデータ検索部１０７を介し各コンテンツのメタデータを受け付けると、キーコンテンツに対する他のコンテンツ各々の関連度を、キーコンテンツのメタデータに含まれる項目毎に算出する（ステップＳ３５）。
【０１５０】
ここで、グループ化表示の有効が指示されている場合には(ステップＳ３６；Ｙｅｓ)、グループ化情報生成部５０３は、他のコンテンツ（関連コンテンツ）各々に対して類似度の判定を行い、グループ化情報を生成する（ステップＳ３７）。次いで、表示制御部５０６は、キーコンテンツに対する他のコンテンツ各々の関連度及びグループ化情報に基づいて、キーコンテンツ及び他のコンテンツの表示情報を配置するための配置情報（軸や表示領域等）を生成する（ステップＳ３８）。
【０１５１】
一方、グループ化表示の無効が指示されている場合(ステップＳ３６；Ｎｏ)、表示制御部５０６は、関連度算出部５０２で算出されたキーコンテンツに対する他のコンテンツ各々の関連度に基づいて、キーコンテンツ及び他のコンテンツの表示情報を配置するための配置情報を生成する（ステップＳ３９）。
【０１５２】
表示モード設定部１１２によって表示モードが探索モードに設定されている場合には（ステップＳ４０；Ｙｅｓ）、表示情報生成部５０５は、つながりキーワードとその優先度情報を取得し（ステップＳ４１）、探索モード形式の表示情報を生成する（ステップＳ４２）。そして、表示制御部５０６は、探索モード形式の表示情報を配置した一覧情報画面（探索一覧情報画面）を生成し（ステップＳ４３）、生成したその一覧情報画面を表示部１１５に表示する（ステップＳ４６）。
【０１５３】
一方、表示モード設定部１１２によって表示モードが探索モードではなく標準モードに設定されている場合には（ステップＳ４０；Ｎｏ）、表示情報生成部５０５は、標準モード形式の表示情報を生成する（ステップＳ４４）。そして、表示制御部５０６は、標準モード形式の表示情報を配置した一覧情報画面（標準一覧情報画面）を生成し（ステップＳ４５）、生成したその一覧情報画面を表示部１１５に表示する（ステップＳ４６）。
【０１５４】
以上のように、本実施形態の表示処理装置５００によれば、番組タイトルが同一等の類似性を有した他のコンテンツ群を一の表示情報として表示することができるため、一度に表示するコンテンツの実質的な種類を増やすことが可能である。これにより、ユーザは多種多様なコンテンツから所望のコンテンツの発見を容易に行うことができるため、コンテンツの検索に係る利便性を向上させることができる。
【０１５５】
以上、本発明に係る実施形態について説明したが、これに限定されるものではなく、本発明の主旨を逸脱しない範囲での種々の変更、置換、追加、組み合わせ等が可能である。
【０１５６】
例えば、第１〜第４の実施形態のグループ化情報生成部が行うグループ化の方法を、リモコン１２０からの指示に応じて、選択的に又は組み合わせて用いる形態としてもよい。
【０１５７】
また、上記実施形態の表示処理装置で実行されるプログラムは、表示処理装置が備える図示しない記憶媒体に予め格納されているものとするが、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記憶媒体に記録されて提供される形態としてもよい。
【０１５８】
また、上記実施形態の表示処理装置で実行されるプログラムを、インターネット等のネットワークに接続されたコンピュータ上に格納し、ネットワーク経由でダウンロードさせることにより提供するように構成してもよい。また、上記実施形態の表示処理装置で実行されるプログラムをインターネット等のネットワーク経由で提供または配布するように構成してもよい。
【符号の説明】
【０１５９】
１００  表示処理装置
１０１  ＩＰＴＶ接続部
１０２  放送受信部
１０３  映像再生部
１０４  電子番組表記憶部
１０５  録画番組記憶部
１０６  メタデータ取得部
１０７  メタデータ検索部
１０８  関連度算出部
１０９  グループ化情報生成部
１１０  キーワード抽出部
１１１  操作受付部
１１２  表示モード設定部
１１３  表示情報生成部
１１４  表示制御部
１１５  表示部
１２０  リモコン
１３０  ＩＰＴＶサーバ
２００  表示処理装置
２０１  グループ化情報生成部
３００  表示処理装置
３０１  グループ化情報生成部
４００  表示処理装置
４０１  グループ化情報生成部
５００  表示処理装置
５０１  メタデータ取得部
５０２  関連度算出部
５０３  グループ化情報生成部
５０４  グループ化情報記憶部
５０５  表示情報生成部
５０６  表示制御部
【図１】
2011141899.tif 000005
【図２】
2011141899.tif 000006
【図３】
2011141899.tif 000007
【図４−１】
2011141899.tif 000008
【図４−２】
2011141899.tif 000009
【図５】
2011141899.tif 000010
【図６】
2011141899.tif 000011
【図７】
2011141899.tif 000012
【図８】
2011141899.tif 000013
【図９】
2011141899.tif 000014
【図１０】
2011141899.tif 000015
【図１１】
2011141899.tif 000016
【図１２】
2011141899.tif 000017
【図１３】
2011141899.tif 000018
【図１４】
2011141899.tif 000019
【図１５】
2011141899.tif 000020
【図１６】
2011141899.tif 000021
【図１７】
2011141899.tif 000022
【図１８】
2011141899.tif 000023
【図１９】
2011141899.tif 000024